(57)【特許請求の範囲】
【請求項１】
複数のスイッチを備えるスイッチ操作部と前記スイッチに関する情報を表示する表示部とを離間して配置し、前記スイッチの操作に基づいて前記表示部を制御する表示制御手段を有する車両用スイッチ装置において、
前記スイッチ操作部は前記スイッチのボタンまたはボタンの近傍に当該ボタンに割り当てられる機能を表示可能に構成され、
前記表示制御手段は、前記表示部に前記スイッチ操作部のスイッチと同じボタン配列のスイッチイメージ画像とその各ボタンに割り当てられた機能とを対応させて表示させる第１の表示モードと、前記表示部にはスイッチイメージ画像と機能の表示は行なわず、前記スイッチ操作部のスイッチのボタンまたはボタンの近傍に各ボタンに割り当てられた機能を表示させる第２の表示モードとを備えることを特徴とする車両用スイッチ装置。
【請求項２】
前記スイッチ操作部の複数のスイッチは車載の複数の電装機器の制御に共用され、
前記表示制御手段は、前記電装機器の選択切替えに応じて前記第１の表示モードと第２の表示モードとを切替えることを特徴とする請求項１記載の車両用スイッチ装置。
【請求項３】
前記電装機器が前記表示部を地図表示に共用するナビゲーション装置を含み、
前記表示制御手段は、ナビゲーション装置が選択されたとき第２の表示モードに切替え、その他の電装機器が選択されたとき第１の表示モードに切替えることを特徴とする請求項２記載の車両用スイッチ装置。
【請求項４】
前記第１の表示モードではスイッチイメージ画像の各ボタン上に重ねて当該ボタンに割り当てられた機能が表示され、第２の表示モードでは前記スイッチ操作部のスイッチのボタンに当該ボタンに割り当てられた機能が照明表示されることを特徴とする請求項１、２または３記載の車両用スイッチ装置。
【発明の詳細な説明】
【０００１】
【発明の属する技術分野】
本発明は、車両に搭載された電装機器の操作を行なうための車両用スイッチ装置に関する。
【０００２】
【従来の技術】
車両には多数の電装機器が搭載され、例えば空調機（エアコン）、ラジオ、テレビ、ナビゲーション装置、オーディオ装置などはそれぞれの制御のためにスイッチ操作が必要である。
これらの電装機器ごとにスイッチボタン等を設置することは、スペースの狭い計器盤まわりでは制約があるうえ、多数並んだスイッチボタンを運転中に正しく選択して操作することも容易ではない。
【０００３】
そこで、従来、スイッチボタンの個数を減らすために、比較的少数のスイッチボタンに複数の電装機器に対応させた複数の機能を割り付けて切替え操作するもの、さらには、そのスイッチボタンの機能をボタン自体ではなく別途の表示部に表示させるものが多く提案されている。
例えば、特開平７−１３１３６２号公報に開示されたものでは、選択ボタン部とメニューボタン部とを備えるリモートコントロール装置と、車両側に設置された表示部とを有し、リモートコントロール装置のメニューボタンにより所望の電装機器を選択すると、表示部の画面に選択ボタンの配置とともに各ボタンごとにその機能が表示されるようになっている。
【０００４】
これにより、スイッチボタン（選択ボタン）の個数が削減され、またスイッチボタンを備える操作部とその配置、機能のスイッチボタン情報を表示する表示部とが分離して構成されていることから、各ボタンの配置と機能が見やすい位置に表示できて選択操作も容易となる。
【０００５】
【発明が解決しようとする課題】
ところで、前述のように電装機器には画面表示を要するテレビ、ナビゲーション装置等があり、車室内のスペースの制約からそれぞれの表示部を個別に設けることは困難であるため、スイッチボタンの表示を含めて１つの表示部を共用せざるを得ない。
しかしながら、上記従来の装置では、表示部にスイッチボタンが表示されるので、表示されたスイッチボタン等が画面を占有し、あるいは少なくとも画面の一部を占有することになる。
【０００６】
そのため、例えばナビゲーション装置を利用中で画面全体に地図を表示しておきたい場合に、上記のスイッチボタンの表示がなされると、地図が隠れてしまうという不都合が生じる。その他、テレビの受像中においても同様である。
したがって本発明は、上記の問題点に鑑み、スイッチボタンを備える操作部とスイッチボタン情報を表示する表示部とからなるスイッチ装置において、必要に応じて表示部における他の情報の占有表示を許しながら、スイッチボタンの操作容易性を保持するスイッチ装置を提供することを目的とする。
【０００７】
【課題を解決するための手段】
このため、請求項１の本発明は、複数のスイッチを備えるスイッチ操作部とスイッチに関する情報を表示する表示部とを離間して配置し、スイッチの操作に基づいて表示部を制御する表示制御手段を有する車両用スイッチ装置において、スイッチ操作部はスイッチのボタンまたはボタンの近傍に当該ボタンに割り当てられる機能を表示可能に構成され、表示制御手段は、表示部にスイッチ操作部のスイッチと同じボタン配列のスイッチイメージ画像とその各ボタンに割り当てられた機能とを対応させて表示させる第１の表示モードと、表示部にはスイッチイメージ画像と機能の表示は行なわず、スイッチ操作部のスイッチのボタンまたはボタンの近傍に各ボタンに割り当てられた機能を表示させる第２の表示モードとを備えるものとした。
【０００８】
請求項２の発明は、上記のスイッチ操作部の複数のスイッチが車載の複数の電装機器の制御に共用され、表示制御手段は、電装機器の選択切替えに応じて第１の表示モードと第２の表示モードとを切替えるものとした。
【０００９】
請求項３の発明は、とくに電装機器が表示部を地図表示に共用するナビゲーション装置を含み、表示制御手段は、ナビゲーション装置が選択されたとき第２の表示モードに切替え、その他の電装機器が選択されたとき第１の表示モードに切替えるようにしたものである。
【００１０】
請求項４の発明は、第１の表示モードではスイッチイメージ画像の各ボタン上に重ねて当該ボタンに割り当てられた機能が表示され、第２の表示モードではスイッチ操作部のスイッチのボタンに当該ボタンに割り当てられた機能が照明表示されるものとした。
【００１１】
【発明の効果】
請求項１の発明は、スイッチ操作部と表示部が離間して配置されるスイッチ装置において２つの表示モードを備え、第１の表示モードでは表示部にスイッチ操作部と同じボタン配列のスイッチイメージ画像と各ボタンの機能とを表示するので、スイッチイメージ画像とスイッチ操作部のスイッチとの対応がとりやすく、表示部の画面を見ながら容易にスイッチ操作ができ、また第２の表示モードでは、スイッチ操作部のスイッチのボタンまたはその近傍に各ボタンの機能を表示させるので、同様に容易にスイッチを識別操作可能としながら、表示部にはスイッチイメージ画像などを表示しないので表示部の画面を他の情報の表示に用いることができる。
【００１２】
請求項２の発明は、電装機器の選択切替えに応じて第１の表示モードと第２の表示モードとを切替えるものとしたので、電装機器によって第２の表示モードとすることによりスイッチイメージ画像より優先させたい情報を表示部に表示させることができる。
【００１３】
請求項３の発明は、とくにナビゲーション装置が選択されたとき第２の表示モードとすることにより、表示部に地図などナビゲーション情報の表示を確保することができる。
【００１４】
請求項４の発明は、表示部におけるボタンの機能表示をスイッチイメージ画像の各ボタン上に重ねて行ない、スイッチ操作部におけるボタンの機能表示をボタン自体に照明表示して行うものとしたので、表示部画面においてもスイッチ操作部においても一瞥するだけで直ちにどのスイッチを操作するべきかを識別することができる。
【００１５】
【発明の実施の形態】
以下、本発明の実施の形態を実施例により説明する。
図１はスイッチ操作部の外観を含む第１の実施例の構成を示す。
第１の実施例のスイッチ装置は、スイッチ操作部１０と、これに順次接続されたコントロール部２および表示部からなっている。コントロール部２はスイッチ操作部１０による制御対象のオーディオ・ビジュアル（ラジオ、テレビ、テープ、ディスク等）、エアコンおよびナビゲーション装置など複数の電装機器５にも接続されている。表示部８はテレビやナビゲーション装置のディスプレイとして共用されるようになっている。
【００１６】
スイッチ操作部１０はドライバの手の届く範囲に設置され、表示部８はスイッチ操作部１０の上方あるいは図示しないインストルメントパネルの上部などドライバから見やすい位置に設けられている。
スイッチ操作部１０は、下辺が弧状を呈し上辺が直線の略半円の平面形状を有する盤面１１上に、オーディオ・ビジュアル、エアコンおよびナビゲーション装置の各電装機器に関連する選択切替えスイッチ４０が設けられ、さらに各電装機器の制御のため共用されるファンクションスイッチ２０が設けられている。
【００１７】
ファンクションスイッチ２０は盤面１１の上辺にそった中央部に配置され、これを囲んで、選択切替えスイッチ４０が配置されている。
選択切替えスイッチ４０として、盤面１１の左部分にはラジオ／テレビの切替えスイッチ４１、テープ／ディスクの切替えスイッチ４２、これらオーディオ・ビジュアル用の選択／ボリューム調整ノブ４３およびオフスイッチ４４が設けられている。選択／ボリューム調整ノブ４３は、プッシュ操作でオーディオ・ビジュアル系統の電源オンまたは選択を行い、回動操作により音量調整を行う。
なお、４５はこれをプッシュすることにより交通情報チャンネルでラジオをオンさせる交通情報ボタンである。
【００１８】
また、盤面１１の右部分には、エアコンの選択／温度設定ノブ４６、内外気切替えスイッチ４７、デフロスト切替えスイッチ４８、およびオフスイッチ４９が設けられている。選択／温度設定ノブ４６は、プッシュ操作で空調のオンと選択を行い、回動操作により設定温度を調整する。
盤面１１の中央部分には、ナビゲーションスイッチ５０が設けられ、その左右には画面調整スイッチ５１および車両情報スイッチ５２が配置されている。
また、ナビゲーションスイッチ５０の下側には選択レバー５３と戻しスイッチ５４が設けられている。
【００１９】
ファンクションスイッチ２０はそれぞれ横軸まわりに揺動するシーソー形式のボタン２２（２２ａ、２２ｂ、２２ｃ）を備える複数のスイッチを横方向に並べて構成されている。
各ボタン２２はそれぞれ上辺を下辺より長くし、横方向に並べられた全体としても上辺を下辺より長くして、左右両側辺を傾斜させた逆台形形状を呈している。
【００２０】
ボタン２２の表面には直線状の突条あるいは溝で境界線２９が形成され、上半部２３と下半部２４を互いに区分している。
シーソー形式のファンクションスイッチ２０は、ボタン２２の上半部２３あるいは下半部２４を個別にプッシュして揺動させることにより、それぞれ独立のスイッチ機能を奏してオンする。したがって、ファンクションスイッチ２０はスイッチ機能面から見ると、３個のスイッチを横に並べた列を２列設けたものとなっている。したがって、必要に応じて各半部をスイッチボタンと呼ぶ。
【００２１】
各ボタン２２は上半部２３と下半部２４を表示領域とし、各半部にはそれぞれその中央よりオフセットした位置に、「１」、「２」、「３」、…のように識別用のボタン番号２７が表示されている。
各半部にはさらに、ボタン番号２７と並べて、ナビゲーション装置制御用の選択項目あるいは機能名（以下、機能名と呼ぶ）２８（図５参照）が裏面から照明表示可能となっている。
【００２２】
図２はファンクションスイッチ２０の一部を拡大して示すもので、（ａ）は平面図、（ｂ）は（ａ）におけるＡ−Ａ部断面図である。
中央のボタン２２ｂの表面は、その両側のボタン２２ａ、２２ｃの一般表面に対して若干量だけ突出しており、手探りでも各ボタンの識別が容易となっている。
【００２３】
ボタン２２は透明樹脂製で、外表面に黒色塗装が施され、その黒色塗装膜２５にレーザ彫刻によりボタン番号２７とナビゲーション装置用の機能名２８が穿たれている。
ボタン番号２７にはさらに白色塗膜が施されている。
ここでは、ボタン２２ｂの表面の上半部２３にボタン番号「２」と機能名「広域」が表示され、下半部２４にはボタン番号「５」と機能名「詳細」が表示されている。
スイッチ機構は図示していないが、公知のシーソー式機構を備えて、ボタン２２の上半部２３または下半部２４を押すことにより、それぞれスイッチがオンする。
【００２４】
各ボタン２２の裏側では、ボタン番号２７の表示の下に、スイッチ基板３０上にボタン番号の夜間照明のための白色の照明ＬＥＤ（発光ダイオード）３１が設置され、ナビゲーション装置用の機能名２８の表示の下には、スイッチ基板３０上に機能名用の橙色の照明ＬＥＤ３２が設置されている。
【００２５】
ボタン番号２７は白色塗膜を施してあるので、昼間に視認可能である。また夜間は照明ＬＥＤ３１の点灯により裏面から照明されて視認される。
機能名２８は、昼夜間とも、照明ＬＥＤ３２が点灯されたときのみ裏面から照明されて視認される。
ボタン２２の裏面には、照明ＬＥＤ３１の光がナビゲーション装置制御用の機能名２８（「広域」、「詳細」等）へ、あるいは照明ＬＥＤ３２の光がボタン番号２７（「２」、「５」等）へ漏れることがないように、光遮断壁２６が設けられている。
【００２６】
ファンクションスイッチ２０を構成する複数のスイッチは、前述のようにボタン２２の上半部２３あるいは下半部２４をプッシュして揺動させることによりオンする。ファンクションスイッチ以外の選択切替えスイッチ４０も同様のシーソー形式あるいは単純なプッシュ形式で構成され、プッシュ操作によりオンし、これらのオン信号はスイッチ操作部１０からコントロール部２へ送出される。
選択レバー５３は上下左右に倒して表示部の画面に表示されたメニューを選択するもので、選択レバー５３をプッシュすることにより選択が決定され確定するようになっている。
【００２７】
コントロール部２は、操作された選択切替えスイッチ４０およびファンクションスイッチ２０に応じて、接続された電装機器５を制御するとともに、表示部８を制御する。
コントロール部２は表示部８の制御について第１の表示モードと第２の表示モードを有している。
【００２８】
第１の表示モードでは、選択切替えスイッチ４０のオン信号を受けて、当該選択切替えスイッチで選択された電装機器（ナビゲーション装置を除く）に対応して各ボタン２２の上半部２３および下半部２４に割り当てられた所定の機能名２８を付したファンクションスイッチ２０のイメージ画像を表示部８に表示させる。
このモードでは、スイッチ操作部１０のファンクションスイッチ２０においては、夜間に照明ＬＥＤ３２は点灯されず照明ＬＥＤ３１が点灯されて、ボタン番号２７のみが照明表示される。
【００２９】
第２の表示モードは、電装機器としてナビゲーション装置が選択された場合（ナビゲーションモード）に適用され、表示部８へのファンクションスイッチ２０のイメージ画像の表示は行なわず、ナビゲーションスイッチ５０のオン信号を受けて、昼夜間ともスイッチ操作部１０の機能名用の照明ＬＥＤ３２を点灯させるものである。
これにより、ナビゲーションモードにおける機能名２８がスイッチ操作部１０のファンクションスイッチ２０のボタン２２に橙色で照明表示される。
【００３０】
つぎに、上記構成における動作例について説明する。
図３は、ラジオを選択したときの動作例で、（ａ）は表示部における画面表示例、（ｂ）はスイッチ操作部を示す。
スイッチ操作部１０のラジオ／テレビの切替えスイッチ４１のプッシュ操作によりラジオモードになる。
ラジオモードになると、画面にＡＭまたはＦＭの選択メニューが表示されるので、ＡＭとＦＭを切り替えたい場合は切替えスイッチ４１を再度プッシュする。
【００３１】
表示部８には、（ａ）のように、選択された制御対象表示６３（ＦＭ）が画面上部に表示されるとともに、スイッチ操作部１０におけると同じ配置で全体として逆台形形状にボタン６１（６１ａ、６１ｂ、６１ｃ）が並べられたファンクションスイッチのイメージ画像６０が表示される。
【００３２】
ファンクションスイッチのイメージ画像６０において、各ボタン６１の上半部および下半部には、スイッチ操作部１０におけるファンクションスイッチ２０に付せられたと同じ「１」、「２」、「３」、・・・のボタン番号６４が表示されるとともに、機能名として各半部に設定されている放送局名６５が併せて表示される。
一方、スイッチ操作部１０においては、照明ＬＥＤ３２は点灯されず、夜間に照明ＬＥＤ３１が点灯されて（ｂ）のように、ファンクションスイッチ２０の各ボタン６１にはボタン番号２７のみが視認される。
【００３３】
ドライバは表示部８に表示されたファンクションスイッチのイメージ画像６０を見ることにより、スイッチ操作部１０上の自分が操作したいファンクションスイッチを手探りで容易に特定できる。また必要に応じて、スイッチ操作部１０のファンクションスイッチ２０のボタン番号２７を、画面上に放送局名表示６５と並べて表示されたファンクションスイッチのボタン番号６４と対比して、確認することもできる。
【００３４】
なお、ラジオを含むオーディオ・ビジュアルでは、ボタン番号２７をチャンネル番号とみなすことができる。
図３の例では、ドライバがスイッチ操作部１０の例えばボタン２２ｂの上半部２３をプッシュすれば、そのボタンが揺動してオン信号がコントロール部２へ送出され、コントロール部２はラジオのチューナを放送局「ＮＡＣＫ５」に同調制御する。
【００３５】
また、表示部８には、コントロール部２から制御されて、ファンクションスイッチのイメージ画像６０の上方に、選択されたチャンネル番号「２ｃｈ」と放送局名表示６５、ならびに周波数表示６６が視認容易な大サイズ文字で表示される。
これにより、ドライバは意図したラジオのチャンネルを正しく選択したかどうかを確認することができる。
【００３６】
図４は、エアコンを選択したときの動作例で、（ａ）は表示部における画面表示例、（ｂ）はスイッチ操作部を示す。
スイッチ操作部１０の選択／温度設定ノブ４６をプッシュ操作することにより、エアコンモードになる。表示部８には、（ａ）のように、選択されている制御状態表示６８（ＡＵＴＯ）および現在の目標温度表示６９が画面上部に表示されるとともに、下半部に全体として逆台形形状にファンクションスイッチのイメージ画像６０Ａが表示される。
【００３７】
ファンクションスイッチのイメージ画像６０Ａにおいて、各ボタン６１ａ〜６１ｃには上述の図３におけると同様にスイッチ操作部１０におけるファンクションスイッチ２０に付せられたと同じボタン番号６４が表示される。
そしてさらに、ボタン６１ｂには中央部にファンのシルエット７０が付されるとともに、上半部には増速の機能名（マーク）７１、下半部に減速の機能名（マーク）７２が表示されている。また、ボタン６１ｂを挟む両側のボタン６１ａ、６１ｃの上半部および下半部には、空調コンプレッサ（Ａ／Ｃ）、吹出口モード、外気温度表示等の切替えのための機能名７３、７４、７５が併せて表示される。
【００３８】
このエアコンモードでも、スイッチ操作部１０においては、照明ＬＥＤ３２は点灯されず、夜間に照明ＬＥＤ３１が点灯されて（ｂ）のように、ファンクションスイッチ２０の各ボタン２２にはボタン番号２７のみが視認される。
【００３９】
表示部８のファンクションスイッチのイメージ画像６０Ａを参照して、ドライバがスイッチ操作部１０の例えばボタン２２ｂの上半部２３を押せば、コントロール部２はファンの回転速度を増速するようエアコンへ制御信号を送る。
また空調コンプレッサは、表示部８の画面に「Ａ／Ｃ」と表示されたボタンに対応するファンクションスイッチ２０のボタン番号「１」の半部をプッシュするごとにオン、オフを繰り返す。
またファンクションスイッチのボタン番号「３」の半部をプッシュするごとに、吹出口モードが順次循環的に切り換わる。
【００４０】
表示部８には、コントロール部２から制御されて、ファンクションスイッチのイメージ画像６０Ａの上方に、現在の空調コンプレッサの作動状態表示７６、ファン風量表示７７、吹出口モード表示７８が視認容易な大サイズの文字やマークで表示される。
また、ファンクションスイッチ２０のボタン番号「４」の半部をプッシュすると、所定時間だけ画面上部の目標温度表示６９が外気温度の表示に切り換わる。
【００４１】
図５は、ナビゲーション装置を選択したときの動作例で、（ａ）は表示部における画面表示例、（ｂ）はスイッチ操作部を示す。
スイッチ操作部１０のナビゲーションスイッチ５０のプッシュ操作によりナビゲーションモードになる。
ナビゲーションモードになると、表示部８の画面に地図８０が表示される。
【００４２】
スイッチ操作部１０においては、照明ＬＥＤ３２が点灯されて（ｂ）のように、ファンクションスイッチ２０の各ボタン２２にナビゲーション装置用の機能名２８が橙色で照明表示される。
なお、照明ＬＥＤ３１は昼夜間とも点灯されないので、昼間は白色塗膜のボタン番号２７が視認されるが、夜間はボタン番号は視認されず、機能名２８のみが視認される。
【００４３】
ナビゲーション装置用の機能名として、ここではボタン２２ａの上半部に「２画面」、下半部に「バードビュー」が、ボタン２２ｂの上半部に「広域」、下半部に「詳細」が、ボタン２２ｃの上半部に「メニュー」、下半部に「ガイド」がそれぞれ表示される。
【００４４】
ボタン２２ａの上半部をプッシュすれば表示部８の画面が予め定めた２つに分割される。例えば平面地図とバードビュー地図、あるいは広域地図と詳細地図などを同時に表示できる。
ボタン２２ａの下半部をプッシュすれば、表示部８の画面全体に地図がバードビューで表示される。
【００４５】
ボタン２２ｂの上半部をプッシュすれば画面全体により広域な地図が表示され、下半部をプッシュすれば画面全体により詳細な地図が表示される。
またボタン２２ｃの下半部をプッシュすれば、経路案内が開始される。
ボタン２２ｃの上半部をプッシュすれば、上記種々の表示のほか、ナビゲーションのための目的地入力等のメニューが表示部８に表示される。メニュー中の選択は選択レバー５３によって行う。
【００４６】
なお、画面調整スイッチ５１をプッシュすると、表示部８の画面の明るさやコントラスト等の調整のためのメニュー画面が表示され、車両情報スイッチ５２をプッシュすると、走行距離や走行時間、あるいは燃費情報等のメニュー画面が表示される。メニュー画面での選択は選択レバー５３によって行う。
また、戻しスイッチ５４をプッシュすると、１つ前の画面に戻る。
【００４７】
本実施例は以上のように構成され、スイッチ操作部１０と表示部８とを別体として離間可能としてあるので、表示部８をドライバから見やすい位置に設置することができる。
そして、スイッチ操作部１０では、オーディオ・ビジュアル、エアコンおよびナビゲーション装置を作動させるための選択切替えスイッチ４０のほか、それぞれに複数の機能を与えて各装置の制御に共用するファンクションスイッチ２０を設けるとともに、ナビゲーションモード以外では表示部８にスイッチ操作部１０と同じボタン配列のファンクションスイッチのイメージ画像６０、６０Ａとそのボタン６１上にそれぞれの選択項目や機能とを表示するものとしたので、どのスイッチを操作すべきかを一瞥して識別できるうえ、スイッチ操作部１０を注視しなくても表示部８の画面を見ながらスイッチ操作ができる。
【００４８】
一方、ナビゲーションモードではスイッチ操作部１０のファンクションスイッチ２０のボタン２２に選択項目や機能を表示することにより、一瞥して識別でき、表示部８の画面全域にわたって地図などナビゲーション情報の表示を確保しながら、ファンクションスイッチ２０を容易に操作することができる。
【００４９】
そしてファンクションスイッチ２０が各装置に共用されるので、全体としてのスイッチ数が低減するから、これにより、選択切替えスイッチ４０およびファンクションスイッチ２０は必要に応じて個々のサイズを大きくでき、操作性が向上する。
同じく全体としてのスイッチ数が低減するので、これを統合化したスイッチ操作部１０をドライバの手の届く範囲でしかも、表示部８と同様に、視認性の良い位置に配置することも可能となる。
【００５０】
また、スイッチ操作部１０におけるファンクションスイッチ２０の集合の全体形状を左右両側辺を傾斜させた逆台形の特徴あるものとするとともに、表示部８に表示されるファンクションスイッチのイメージ画像６０、６０Ａを同じく逆台形の形状にしてあるので、両者の対応づけが容易である。
さらに、ナビゲーションモード以外のモードではスイッチ操作部１０のファンクションスイッチ２０のボタン番号を視認可能とするとともに表示部８に表示されるファンクションスイッチのイメージ画像にもボタン番号を表示するので、両者の対応づけをさらに容易としている。
【００５１】
また、スイッチ操作部１０のファンクションスイッチ２０はシーソー形式としたので、外観上スイッチ数が少なく見えるとともに、プッシュの際にも上半部２３と下半部２４の双方を同時に押し下げてオンさせてしまうという誤操作の発生を皆無とする。
さらに、ファンクションスイッチ２０は横方向に並べたボタンのうち、中央のボタン２２ｂの表面を両側のボタン２２ａ、２２ｃの一般表面より若干突出させて高くしてあるので、手探り操作の場合にも指先でファンクションスイッチ間を確実に識別できる。
【００５２】
図６は第２の実施例を示す。
これは、スイッチ操作部においてナビゲーション装置用の選択項目や機能をファンクションスイッチのボタンに表示する代わりに、ファンクションスイッチの近傍に表示するようにしたものである。
すなわち、スイッチ操作部１０Ａのファンクションスイッチ２０Ａは、そのボタン９０にボタン番号２７のみが図２に示したと同様構成で照明可能に白色塗膜で表示されている。
【００５３】
そして、ファンクションスイッチ２０Ａの並べて配置されたボタン９０の上辺および下辺にそって、選択機能表示部９３が配置されている。選択機能表示部９３は、とくに図示しないが、図２に示したボタン２２と同様に透明樹脂製で外表面に黒色塗装が施され、その黒色塗装膜に機能名２８が穿たれており、裏面からの橙色の照明ＬＥＤで照明表示されるようになっている。そしてその上面をスイッチ操作部１０Ａの盤面１１Ａの表面と整合させて設置されている。
その他の構成は第１の実施例と同じである。
【００５４】
これによっても、ナビゲーションモードではスイッチ操作部１０Ａのファンクションスイッチ２０Ａ近傍の選択機能表示部９３で選択項目や機能を表示することにより、表示部８の画面全域にわたって地図８０などナビゲーション情報の表示を確保しながら、ファンクションスイッチ２０Ａの選択項目や機能を確実に識別して容易に操作することができ、第１の実施例と同じ効果を有する。
【図面の簡単な説明】
【図１】本発明の第１の実施例の構成を示す図である。
【図２】ファンクションスイッチの詳細を示す拡大図である。
【図３】ラジオを選択したときの動作例を示す説明図である。
【図４】エアコンを選択したときの動作例を示す説明図である。
【図５】ナビゲーション装置を選択したときの動作例を示す説明図である。
【図６】第２の実施例の構成を示す図である。
【符号の説明】
２        コントロール部
８        表示部
５        電装機器
１０、１０Ａ    スイッチ操作部
１１、１１Ａ    盤面
２０、２０Ａ    ファンクションスイッチ
２２、２２ａ、２２ｂ、２２ｃ、９０    ボタン
２３      上半部
２４      下半部
２５      黒色塗装膜
２６      光遮断壁
２７      ボタン番号
２８      機能名
２９      直線
３０      スイッチ基板
３１、３２    照明ＬＥＤ
４０      選択切替えスイッチ
４１      ラジオ／テレビの切替えスイッチ
４２      テープ／ディスクの切替えスイッチ
４３      選択／ボリューム調整ノブ
４４、４９    オフスイッチ
４５      交通情報ボタン
４６      選択／温度設定ノブ
４７      内外気切替えスイッチ
４８      デフロスト切替えスイッチ
５０      ナビゲーションスイッチ
５１      画面調整スイッチ
５２      車両情報スイッチ
５３      選択レバー
５４      戻しスイッチ
６０、６０Ａ    ファンクションスイッチのイメージ画像
６１、６１ａ、６１ｂ、６１ｃ    ボタン
６３      制御対象表示
６４      ボタン番号
６５      放送局名表示
６６      周波数表示
６８      制御状態表示
６９      目標温度表示
７０      ファンのシルエット
７１、７２、７３、７４、７５    機能名
７６      作動状態表示
７７      ファン風量表示
７８      吹出口モード表示
８０      地図
９０      ボタン
９３      選択機能表示部
【図１】
0003559898.tif 000002
【図２】
0003559898.tif 000003
【図３】
0003559898.tif 000004
【図４】
0003559898.tif 000005
【図５】
0003559898.tif 000006
【図６】
0003559898.tif 000007